(57)【要約】【課題】攪拌装置を設けず、生ごみと微生物とを攪拌できる安価な生ごみ処理容器を提供する。【解決手段】生ごみ処理容器は、内部に微生物が担持された微生物担持体と、生ごみとを収容するとともに、転動可能なように球体、楕円球体または多面体にて形成されている。そして、この生ごみ処理容器の外面に、少なくとも一箇所に平坦面が設けられている。この生ゴミ処理装置を転動させることによって、生ゴミと微生物担持体とを混合させ、載置することで生ゴミを分解することができる。【選択図】図１
2010137205.tif 000002
【特許請求の範囲】
【請求項１】
内部に、微生物が担持された微生物担持体と生ゴミとを収容するとともに、
転動可能なように球体、楕円球体または多面体のいずれかにて本体が形成された生ゴミ処理容器。
【請求項２】
上記生ゴミ処理容器の外面には、少なくとも一箇所に平坦面が設けられている請求項１に記載の生ゴミ処理容器。
【発明の詳細な説明】
【技術分野】
【０００１】
本発明は、生ゴミ処理容器に関する。
【背景技術】
【０００２】
生ゴミ処理機には、高温の温風で生ゴミを乾燥処理する熱処理式と、微生物に生ゴミを分解させるバイオ式と、送風乾燥してからバイオ処理するハイブリッド式がある。従来のバイオ式の生ゴミ処理機には、例えば特許文献１に開示されている。この方式では、生ゴミ投入のために内蓋と外蓋とを備え、内蓋に孔を設け、内蓋の上面に芳香剤を収納した生ゴミ処理機が開示されている。
【特許文献１】特開平７−２０４６１２号公報
【発明の開示】
【発明が解決しようとする課題】
【０００３】
しかしながら、特許文献１の生ゴミ処理機は容器内でモータ駆動により生ゴミと微生物とを撹拌し、処理するため、装置は電力等のエネルギーを必要とする。また、生ゴミと微生物との撹拌が不十分であれば、生ゴミを完全に処理することはできない。
【０００４】
そこで、本発明は、撹拌装置を設けずに、生ゴミと微生物とを撹拌できる、製造費用と使用費用とが安価な生ゴミ処理容器を提供することを目的とする。
【課題を解決するための手段】
【０００５】
請求項１に記載の発明は、内部に、微生物が担持された微生物担持体と生ゴミとを収容するとともに、転動可能なように球体、楕円球体または多面体のいずれかにて本体が形成された生ゴミ処理容器である。
【０００６】
生ゴミは、食物残渣であって有機物のものであれば特に種類は問わず、野菜豆類、ご飯や麺類、肉魚類、油脂類などが混合されている。また、これらに生花などが混合されていても問題はない。ただし、それぞれ２ｃｍ大程度まで予め粉砕しておくことが望ましい。
なお、生ゴミの含水率は５０〜６０％が好ましい。含水率が低い場合、後述する微生物の増殖に不利である。逆に含水率が高い場合、通気性の確保が難しくなり、微生物による生ゴミの分解速度が低下する。
【０００７】
上記微生物は、生ゴミを処理する微生物であり、放線菌、嫌気性乳酸菌などの細菌や、糸状菌などの菌類が用いられている。なお、この微生物は主に好気性微生物である。
【０００８】
上記微生物担持体とは、生ゴミを分解する微生物を担持した分解促進剤であり、竹、おが屑、稲藁、米ぬかなどの有機系材料を粉末にしたものだけでなく、ゼオライトや活性炭等の無機系粒子、さらに腐葉土、山土、熟成堆肥など他種類の有機無機混合物を単独あるいは混合して用いることができ、この場合は生ゴミ、多孔質性有機成分、大気中など自然界に存在する微生物を利用して生ゴミを分解することとなる。
生ゴミと微生物担持体の配合比は任意である。また、微生物担持体に担持されている微生物の量も任意である。生ゴミが完全に処理できない場合、微生物担持体を新たに追加し、処理すればよい。
【０００９】
上記生ゴミ処理容器は、プラスチック、ステンレスなどの金属類など、生ゴミ等を入れても、水分などの液体が漏れない材質であればよい。
【００１０】
請求項１に記載の発明によれば、上記生ゴミ処理容器は、生ゴミと微生物担持体とを収容した生ゴミ処理容器を床に載置し、それを転動させる。この生ゴミ処理容器が転動することにより、生ゴミと微生物担持体とが混合する。そして、微生物が生ゴミを分解することができる。
【００１１】
請求項２に記載の発明は、上記生ゴミ処理容器の外面には、少なくとも一箇所に平坦面が設けられている請求項１に記載の生ゴミ処理容器である。
【発明の効果】
【００１２】
本発明によれば、構造が単純であるため、装置の小型化を容易にすることができる。そして、この生ゴミ処理容器が転動することにより、生ゴミを撹拌することが可能であるため、撹拌装置を設ける必要がない。さらに、生ゴミ処理容器を転動させる際に、生ゴミ処理容器の外面に平坦面を有することにより、容器が振動する。このため、生ゴミと微生物担持体とを効率よく撹拌することができる。
【発明を実施するための最良の形態】
【００１３】
以下、本発明の実施例を説明する。
【実施例１】
【００１４】
本発明の実施例１に係る生ゴミ処理容器１０は、本体１１と、蓋１２と、フィルタ１３を有して構成されている。そして、図１において示すように、この生ゴミ処理容器１０は、略球体に形成されている。そのため、この生ゴミ処理容器１０は転動が可能である。
【００１５】
上記本体１１の材質は、光を透過するプラスチックで、構成された略球体の容器である。この本体１１の上部に平面視して円形の開口が設けられている。この開口の内周壁に沿って、本体１１にリング状の突起１１ａが上方に向かって開口より突出している。この突起１１ａには外周ねじ１１ｂが形成されている。
この本体１１の下部には、底が設けられている。この底は、球体の本体１１の下方に、平坦面を施して形成される。この底は、床に安定に生ゴミ処理容器１０を載置できる大きさで形成されている。
この本体１１は、金型を用いて、ブロー成形により作製される。
【００１６】
上記蓋１２は、本体１１と同じ材質で形成されている。この蓋１２は、その一端に底を有する筒状に形成されている。この蓋１２の内周面にはねじが形成されている。このねじは、上記外周ねじ１１ｂに螺合可能な大きさで形成されている。
この蓋１２は、生ゴミ処理容器１０を転動させる際に、生ゴミ処理容器１０の内部に収容される生ゴミ１００や、微生物担持体１１０等が、外部に漏れないようにするために用いられるものである。
【００１７】
上記フィルタ１３は、生ゴミ処理容器１０を床に載置し、放置する際に、開口を被覆する布である。
このフィルタ１３は通気性の有する略正方形の布で蓋１２より大きく形成されている。本実施例では、このフィルタ１３はポリエステル繊維からなる不織布で構成されている。このフィルタ１３の端部にはゴム紐が固定されている。
このフィルタ１３には吸着材が保持されていてもよい。この吸着材は、生ゴミを処理する際に発生するトリメチルアミンやメチルメルカプタン等、悪臭の原因となるガスを吸着するものである。吸着材として例えば粒状活性炭、光触媒等を用いてもよい。
吸着剤または光触媒が保持されていない場合、生ゴミ処理装置１０を載置する際に、開口から内部に吸着剤または光触媒を保持した不織布１６を吊り下げることも可能である。この時、不織布１６は、生ゴミ１００や、微生物担持体１１０に接触させないように吊り下げておく。図３では、紐の先端に固定された不織布１６を開口から吊り下げている。
【００１８】
上記生ゴミ処理容器１０の開口の近傍に把手１５が固定されている。この把手１５は、本体１１と同じ材質で形成されている。
【００１９】
生ゴミ１００は、有機物の食物残渣である。野菜豆類、ご飯、麺類、肉魚類、油脂類が混合されている。この生ゴミ１００は、それぞれ２ｃｍ大程度まで予め粉砕している。
【００２０】
上記微生物担持体１１０は、生ゴミを処理する微生物を担持した分解促進剤である。本実施例では、竹、おが屑に糸状菌、放線菌などの微生物を担持したものを使用している。
【００２１】
以上の構成からなる生ゴミ処理容器１０にて、生ゴミを処理する方法について説明する。
まず、生ゴミ処理容器１０に、開口から予め微生物担持体１１０を投入する。その後、開口から生ゴミ１００を投入することにより、本体１１内部に生ゴミ１００と、微生物担持体１１０とを収容する。
次に、蓋１２を用いて、開口を塞ぎ、生ゴミ処理容器１０を転動させる。転動させることにより生ゴミ１００と、微生物担持体１１０とを撹拌することができる。転動方法は、手動で生ゴミ処理容器１０を床の上で転動させる。撹拌時間は１０分以上とする。
【００２２】
撹拌後、蓋１２を外し、紐のついた不織布１６を内部に吊り下げ、フィルタ１３で開口を被覆し、床の上に生ゴミ処理容器１０を載置する。
まず、生ゴミ１００に含まれる糖やアミノ酸などの易分解性物質が分解される。分解は好気的に行われ、生育の早い糸状菌や好気性細菌が主として活動し、この過程で活発に増殖する微生物の呼吸熱によって発熱する。糸状菌は４０℃を超えると生活できなくなり、次に高い温度に強い放線菌などが増殖する。
放線菌は糸状菌が分解できなかった繊維（セルロースやヘミセルロース）を分解する。分解時、生ゴミ１００の温度は５０℃以上になり、他の微生物は活動できず、限られた種類の高温菌が生ゴミ１００を分解する。高温性好気性の放線菌によりヘミセルロースが分解される。このときに酸素を盛んに消費するため、生ゴミ処理容器１０の内部は酸素不足となる。その際、嫌気性のセルロース分解菌によりセルロースを分解する。
生ゴミ１００の温度が室温になった時点で、生ゴミの処理は完了する。
【００２３】
なお、生ゴミ１００を分解する際に発生するトリメチルアミンやメチルメルカプタン、アンモニア等は、光触媒で分解されたり、吸着剤に保持さたりすることにより、悪臭の原因となるガスを外部に放出することを防ぐことができる。
【００２４】
また、この生ゴミ処理容器１０を低温地域にて使用する場合には、図４に示す断熱部材２００、２１０に生ゴミ処理容器１０を嵌合させてもよい。この場合、生ゴミ処理を行う際に発生する分解熱を外部に放出することを防止することができる。
上記断熱部材２００、２１０は、断熱材で形成された筒体であり、筒体の一端は底を有している。この断熱部材２００、２１０に形成されている筒穴は、上記本体１１が嵌脱可能な大きさを有している。この断熱部材は、発泡樹脂で形成されている。
【実施例２】
【００２５】
本発明の実施例２に係る生ゴミ処理容器２０は、楕円球体の本体２１に平坦面２１Ｃが施された構造に形成されている。そのため、この生ゴミ処理容器２０は転動が可能である。
蓋、フィルタ、不織布、把手、生ゴミ、微生物担持体については、実施例１と同じものであるため、説明を省略する。
【００２６】
上記本体２１は、プラスチックで構成された球体の容器である。この本体２１の上部に平面視して円形の開口が設けられている。この開口の内周壁にそって、本体２１にリング状の突起が開口から上方に向かって突出している。この突起に外周ねじが形成されている。
この本体２１には、球体の４箇所に平坦面２１Ｃを有する形状である。この平坦面２１Ｃの大きさは任意である。
この本体２１の下部には、底が設けられている。この底は、球体の本体２１の下方に、平坦面を施して形成される。この底は、床に安定に載置できる大きさで形成されている。
この本体２１は、金型を用いて、ブロー成形により作製される。
【００２７】
以上の構成からなる生ゴミ処理容器２０を転動させる際平坦面を有していることにより、生ゴミ１００と、微生物担持体１１０とを振動により撹拌することができる。
【図面の簡単な説明】
【００２８】
【図１】本発明の実施例１に係る生ゴミ処理容器の斜視図である。
【図２】本発明の実施例１に係る生ゴミ処理容器を転動させる時のＡ−Ａ’断面図である。
【図３】本発明の実施例１に係る生ゴミ処理容器を床に載置させる時のＡ−Ａ’断面図である。
【図４】本発明の実施例１に係る生ゴミ処理容器を低温地域で使用した時を示す断面図である。
【図５】本発明の実施例２に係る生ゴミ処理装置の斜視図である。
【符号の説明】
【００２９】
１０  生ゴミ処理容器、
１１  本体、
２１Ｃ  平坦面、
１００  生ごみ、
１１０  微生物担持体。
【図１】
2010137205.tif 000003
【図２】
2010137205.tif 000004
【図３】
2010137205.tif 000005
【図４】
2010137205.tif 000006
【図５】
2010137205.tif 000007